(57)【特許請求の範囲】
【請求項１】
基板上に実装されるスイッチ付き同軸コネクタであって、同軸プラグの中心導体を上方から受入れ可能な孔を有する絶縁ハウジングと、該絶縁ハウジングの外側に設けられ、前記同軸プラグの外部導体が着脱可能な外部導体と、前記孔の下方に設けられ、互いに接離可能な固定端子及び可動端子と、を備え、前記固定端子は接触部を備え、前記可動端子は、前記絶縁ハウジングに固定される固定部と、前記絶縁ハウジングに設けた挿入孔を通じて前記絶縁ハウジングの内部に設置され、該固定部から片持ち梁状に延出し、前記同軸プラグの中心導体と当接可能且つ前記接触部と接触可能な弾性部とを備え、前記同軸コネクタは、前記挿入孔を塞ぐ塞部を有しており、前記同軸プラグの中心導体が前記絶縁ハウジングの孔に嵌合すると、前記中心導体が前記弾性部に当接し、該弾性部が前記接触部から離間し、信号回路が切り換わるように構成されており、
前記同軸コネクタの外部導体には、前記塞部を位置決めして固定する抑え部が設けられており、
前記抑え部は、前記可動端子の挿入側において、前記塞部に沿って前記外部導体の一部を延伸させることによって形成され、前記挿入孔に向かって折り曲げることができるようになっており、
前記折り曲げ側と同じ側の前記外部導体の表面に、前記抑え部の折り曲げに利用される切り込みが設けられていることを特徴とするスイッチ付き同軸コネクタ。
【請求項２】
前記塞部は前記絶縁ハウジングと一体成形されている請求項１記載のコネクタ。
【請求項３】
前記塞部は、前記可動端子の挿入側において、前記挿入孔を覆うことができるように前記絶縁ハウジングの一部を延伸させることによって形成されており、前記挿入孔を塞ぐように前記挿入孔に向かって折り曲げることができる請求項１又は２記載のコネクタ。
【請求項４】
前記折り曲げ側と反対側の前記絶縁ハウジングの表面に、前記塞部の折り曲げに利用される切り込みが設けてある請求項３記載のコネクタ。
【請求項５】
前記塞部は、前記挿入孔を塞いだときに前記挿入孔よりも前記絶縁ハウジングの外面側に突出した突出部に衝突し得る請求項１乃至４のいずれかに記載のコネクタ。
【請求項６】
前記抑え部の切り込みを設けた部分にくびれ部が形成されている請求項１乃至５のいずれかに記載のコネクタ。
【請求項７】
前記抑え部の折り曲げ方向と水平な方向における前記抑え部の幅は、前記塞部の折り曲げ方向と水平な方向における前記塞部の幅よりも小さい請求項１乃至６のいずれかに記載のコネクタ。
【発明の詳細な説明】
【技術分野】
【０００１】
本発明は、基板上に実装される同軸コネクタ、特に、高周波信号回路を切り換えるためのスイッチ機構を備えたスイッチ付き同軸コネクタに関する。
【背景技術】
【０００２】
携帯電話機のような携帯式の通信機器において、高周波回路の検査用にスイッチ付き同軸コネクタが広く使用されている。従来のスイッチ付き同軸コネクタとして、例えば、本願出願人による特開２００３−１２３９１５号公報に開示されているものがある。
【０００３】
上記公報に開示されている従来コネクタ２１Ａを図２１乃至図２３に示す。図２１は、この従来コネクタ２１Ａをスイッチ切り換えに使用可能な同軸プラグ２６Ａとともに示した中心線縦断面図、図２２は、この従来コネクタ２１Ａの正面斜視図、図２３は、その背面斜視図である。
【０００４】
図２１に示すように、同軸プラグ２６Ａは従来コネクタ２１Ａの上方から着脱可能である。同軸プラグ２６Ａは、略円柱状の絶縁ハウジング２７Ａと、絶縁ハウジング２７Ａの外側を覆う外部導体２８Ａと、絶縁ハウジング２７Ａの軸心に沿って設けられた中心導体２９Ａを備える。外部導体２８Ａと中心導体２９Ａは、絶縁ハウジング２７Ａより下方に突出し、上方向に弾性変位可能である。
【０００５】
一方、従来コネクタ２１Ａは、同軸プラグ２６Ａの中心導体２９Ａを受入れ可能な孔３５Ａを有する絶縁ハウジング２２Ａと、この絶縁ハウジング２２Ａの外側に設けられた外部導体２３Ａと、孔３５Ａの下方に設けられた固定端子２４Ａ及び可動端子２５Ａから成る。更に、固定端子２４Ａは、接触部４０Ａを備え、可動端子２５Ａは、絶縁ハウジング２２Ａに固定される固定部４２Ａと、同軸プラグ２６Ａの中心導体２９Ａと当接可能且つ接触部４０Ａと接触可能な弾性部４４Ａとを備える。
【０００６】
この従来コネクタ２１Ａにおいて、同軸プラグ２６Ａが装着されていないときは、図２１に実線で示されているように、可動端子２５Ａは弾性部４４Ａの弾性力により固定端子２４Ａの接触部４０Ａに押し付けられて、固定端子２４Ａと可動端子２５Ａは電気的に接続された状態を保持する。
【０００７】
一方、従来コネクタ２１Ａにおいて、同軸プラグ２６Ａが装着されているときは、図２１に仮想線（二点鎖線）で示したように、外部導体２８Ａの下端部３３Ａは外部導体２３Ａの環状溝３２Ａに嵌合し、中心導体２９Ａの下端部は、縦孔３５Ａに挿通する。この状態で同軸プラグ２６Ａを押し下げると、外部導体２８Ａは弾性力に抗して縮み、中心導体２９Ａは外部導体２８Ａより下方に突出し、当接位置で弾性部４４Ａに当接する。このとき、中心導体２９Ａの弾性力は弾性部４４Ａよりも強いので、図２１の仮想線に示されているように、弾性部４４Ａは中心導体２９Ａにより押し下げられ、弾性変形し、接触部４０Ａから離間し、固定端子２４Ａと可動端子２５Ａは電気的に切り離されると同時に、中心導体２９Ａと可動端子２５Ａが接続された状態となる。これにより、可動端子２５Ａから固定端子２４Ａへ流れていた信号を可動端子２５Ａから中心導体２９Ａへ流して、高周波回路を検査することができる。
【０００８】
【特許文献１】特開２００３−１２３９１５号公報
【発明の開示】
【発明が解決しようとする課題】
【０００９】
上の従来コネクタ２１では、可動端子２５Ａや固定端子２４Ａを絶縁ハウジング２２Ａに組み込んだ後であっても、可動端子２５Ａ、特にその弾性部４４Ａを絶縁ハウジング２２Ａに挿入するための孔５１Ａや、固定端子２４Ａを絶縁ハウジング２２Ａに挿入するための孔８０Ａが、開状態とされるため、これら開状態にある孔５１Ａや８０Ａから製品内部に異物が入り、信号端子間の接触に悪影響を及ぼしてしまうといった問題が生じていた。本発明はこのような従来技術における問題点を解決するためになされたものであり、製品内部への異物の侵入を少なくできる塞構造を有した同軸コネクタを提供するものである。
【課題を解決するための手段】
【００１０】
本発明は、基板上に実装されるスイッチ付き同軸コネクタであって、同軸プラグの中心導体を上方から受入れ可能な孔を有する絶縁ハウジングと、該絶縁ハウジングの外側に設けられ、前記同軸プラグの外部導体が着脱可能な外部導体と、前記孔の下方に設けられ、互いに接離可能な固定端子及び可動端子と、を備え、前記固定端子は接触部を備え、前記可動端子は、前記絶縁ハウジングに固定される固定部と、前記絶縁ハウジングに設けた挿入孔を通じて前記絶縁ハウジングの内部に設置され、該固定部から片持ち梁状に延出し、前記同軸プラグの中心導体と当接可能且つ前記接触部と接触可能な弾性部とを備え、前記同軸コネクタは、前記挿入孔を塞ぐ塞部を有しており、前記同軸プラグの中心導体を前記絶縁ハウジングの孔に嵌合すると、前記中心導体が前記弾性部に当接し、該弾性部が前記接触部から離間し、信号回路が切り換わるように構成されており、前記同軸コネクタの外部導体には、前記塞部を位置決めして固定する抑え部が設けられており、前記抑え部は、前記可動端子の挿入側において、前記塞部に沿って前記外部導体の一部を延伸させることによって形成され、前記挿入孔に向かって折り曲げることができるようになっており、前記折り曲げ側と同じ側の前記外部導体の表面に、前記抑え部の折り曲げに利用される切り込みが設けられているスイッチ付き同軸コネクタを特徴としている。
【００１１】
上記コネクタにおいて、前記塞部は前記絶縁ハウジングと一体成形されていてもよい。
上記コネクタにおいて、前記塞部は、前記可動端子の挿入側において、前記挿入孔を覆うことができるように前記絶縁ハウジングの一部を延伸させることによって形成されており、前記挿入孔を塞ぐように前記挿入孔に向かって折り曲げることができるものであってもよい。
【００１２】
上記コネクタにおいて、前記折り曲げ側と反対側の前記絶縁ハウジングの表面に、前記塞部の折り曲げに利用される切り込みが設けられていてもよい。
【００１３】
上記コネクタにおいて、前記塞部は、前記挿入孔を塞いだときに前記挿入孔よりも前記絶縁ハウジングの外面側に突出した突出部に衝突し得るものであってもよい。
【００１５】
上記コネクタにおいて、前記抑え部の切り込みを設けた部分にくびれ部が形成されていてもよい。
【００１６】
また、上記コネクタにおいて、前記抑え部の折り曲げ方向と水平な方向における前記抑え部の幅は、前記塞部の折り曲げ方向と水平な方向における前記塞部の幅よりも小さいのが好ましい。
【発明の効果】
【００２０】
本発明によれば、容易に且つ簡易な構造を用いて製品内部への異物の侵入を防止することができる。
【発明を実施するための最良の形態】
【００２１】
以下、添付図面を参照しつつ、本発明の一つの好ましい実施形態によるスイッチ付き同軸コネクタを説明する。
【００２２】
本発明の同軸コネクタ２１の基本構造は、図２１乃至図２３に示した従来コネクタ２１Ａに類似する。しかし、本発明の同軸コネクタ２１には、異物の侵入を防止する塞構造が設けてある点で、この従来コネクタ２１Ａとは大きく異なる。
【００２３】
図１乃至図１２に、本発明の同軸コネクタ２１の全体図を示す。これらの図において、図２１乃至図２３の従来コネクタ２１Ａに対応する部材には、図２１乃至図２３の参照番号から「Ａ」を除いた番号を付している。図２１乃至図２３は、本発明の図１、図２、図６にそれぞれ対応するものである。更に詳細には、図１は、本発明の同軸コネクタ２１の中心線断面図（図９のＡ−Ａ線断面図）、図２は、その正面斜視図、図３は、その正面図、図４は、可動端子２５を絶縁ハウジング２２に組み込む前の状態を示す図、図５は、可動端子２５を絶縁ハウジング２２に組み込んだ直後の状態を示す図、図６は、本発明の同軸コネクタ２１の背面斜視図、図７は、その背面図、図８は、固定端子２４を絶縁ハウジング２２に組み込む前の状態を示す図、図９乃至図１１は、それぞれ、本発明の同軸コネクタ２１の上面図、側面図、裏面図、図１２は、図７のＢ−Ｂ線断面図である。
【００２４】
図１３乃至図１９は、図１乃至図１２に示した同軸コネクタ２１を構成する部品のうちの、特に、絶縁ハウジング２２の個品図を、図２０は、同軸コネクタ２１を構成する部品のうちの、特に、外部導体２３の個品図を、それぞれ示している。更に詳細には、図１３乃至図１５は、それぞれ、絶縁ハウジング２２の正面図、上面図、背面図であり、図１６は、図１４のＣ−Ｃ線断面図、図１７は、図１５のＤ−Ｄ線断面図、図１８は、図１３のＥ−Ｅ線断面図、図１９は、図１３のＦ−Ｆ線断面図である。
【００２５】
図１によく示されるように、本発明によるスイッチ付き同軸コネクタ２１は、主に、略直方体形状のプラスチック等の樹脂で形成された絶縁ハウジング２２と、この絶縁ハウジング２２の外側に設けられた金属製の外部導体２３と、少なくとも一部が絶縁ハウジング２２の内部に設置される固定端子２４と可動端子２５から成る。同軸コネクタ２１は、基板（図示せず）上に実装可能であり、外部に露出した固定端子２４の基板接続部３８（図１１によく示されている）や可動端子２５の基板接続部４３を通じて基板に接続されて、基板回路の一部を形成し得る。
【００２６】
絶縁ハウジング２２の上部には、外周部に沿って環状に段差部３０が形成されている。この段差部３０を覆うように外部導体２３の上部３１が折曲して設けてある。外部導体２３の上部３１の外周面には半円断面の環状溝３２が形成されており、この環状溝３２に同軸プラグ２６側の外部導体２８の下端部３３（図２１参照）が嵌合可能となっている。また、絶縁ハウジング２２の上面にはすり鉢状の凹部３４が形成され、この凹部３４の底面中央部には縦孔３５が穿設されている。さらに、この縦孔３５の下方には、この縦孔３５と連通する横長の空間３６が形成され、同軸プラグ２６が装着されると、中心導体２９の下端部は縦孔３５を挿通し、空間３６に達するようになっている。
【００２７】
図４によく示されているように、可動端子２５は、平板状の固定部４２と、この固定部４２の基端側から下方にＵ字状に曲成された基板接続部４３と、更に、固定部４２から先端方向斜め上方に片持ち梁状に延出する弾性部４４を備えている。弾性部４４は中心導体２９（図２１参照）と当接可能であり、且つ、この当接位置より先端側で接触部４０の下端と接触可能となっている。固定部４２の側部には楔状の突起４５が形成され、固定部４２は突起４５を介して固定端子２４の圧入方向の反対側から絶縁ハウジング２２の挿入孔５０を通じて空間３６に水平姿勢で圧入される。弾性部４４の両側外周部４６は、当接位置の近傍から可動端子２５の固定部４２に向かって拡幅され、凹状に湾曲した形状を成している。また、弾性部４４には、当接位置より固定部４２側に切欠部４７が設けられ、この切欠部４７は、弾性部４４に沿って延びており、好ましくは、両側外周部４６の形状に沿った略三角形状を成している。
【００２８】
図８によく示されているように、固定端子２４は、平板状の固定部３７と、この固定部３７の基端側から下方にコ字状に曲成された端部に設けた基板接続部３８と、それらの間の腕部４８を備えており、中心導体２９の軸方向の動きを妨げないように形成されている。尚、固定部３７の横方向における幅クは、腕部４８の幅キよりも相当に大きく設定されている。固定部３７の側部には楔状の突起３９が形成されており、これらの突起３９を介して固定部３７は絶縁ハウジング２２の側方から絶縁ハウジング２２の挿入孔８０を通じて空間３６に水平姿勢で圧入される。この結果、固定部３７は、絶縁ハウジング２２の内部に設置され、それ以外の腕部４８と基板接続部３８は、絶縁ハウジング２２の外部に露出されたままの状態となる。また、固定部３７のほぼ中央部には下方に突出する接触部４０（図１参照）が設けられており、この接触部４０は二等辺三角形の底辺に沿って切り込みを入れた後、下方に押し曲げることにより形成され、弾性部４４との接触位置を正確に決定できるようになっている。該接触部４０は、その水平圧入方向における断面において二等辺三角形の形状を有する。
【００２９】
図１乃至図４や、図１６、図１９によく示されているように、絶縁ハウジング２２の、可動端子２５が圧入される側の一部側縁５３は、可動端子２５の挿入側において、挿入孔５０を覆うことができるように延伸されている。この延伸部５３は、挿入孔５０を塞ぐように水平方向に延びた状態から挿入孔５０に向かって（下方に）折り曲げることができる。つまり、この延伸部５３は、挿入孔５０を塞ぐための塞部として利用できる。挿入孔５０は、２部分、つまり、可動端子２５の固定部４２に対応して幅広であるが高さを有しない比較的小さな第１挿入部５１と、可動端子２５の弾性部４４に対応して幅狭であるが高さを有する比較的大きな挿入部である第２挿入部５２から構成されているが、ここで、塞部５３によって塞ぐ必要があるのは第２挿入部５２のみである。第１挿入部５１については、可動端子２５の固定部４２がそこに圧入されたときに略完全に塞がれる。塞部５３は、第２挿入部５２の形状に対応して、幅広の略直方形状を有するのが好ましい。図１３や図３に示すように、塞部５３の横若しくは幅方向（折り曲げ方向と水平な方向）における幅「ア」は、第２挿入部５２の同方向における幅「イ」より大きく、また、図３に示すように、折り曲げ時における塞部の縦方向（折り曲げ方向に対して垂直な方向）における高さ「ウ」は、可動端子２５の固定部４２の上端に達するような大きさである。この結果、塞部５３によって、第２挿入部は略完全に塞がれることになる。
【００３０】
塞部５３は、絶縁ハウジング２２の一部として一体成形されていてもよい。塞部５３を容易に折り曲げることができるように、折り曲げ側と反対側の絶縁ハウジング表面の所定位置に横方向にわたってＶ字の切り込み５５が設けてある。折り曲げ作業を容易にするため、塞部５３の縁の中心付近に所定長さの切り溝５４を設けてもよい。塞部５３が折り曲げられて、第２挿入部５２を塞いだとき、塞部５３はその折り曲げ側の内側側部において、絶縁ハウジング２２の段部５７と衝突し得る。この段部５７は、挿入孔５０を設けた側の絶縁ハウジング壁面において最も外面側に突出した最外壁５８と最も内部に引っ込んだ最内壁５９との間の位置まで絶縁ハウジング２２の外面側に突出された突出部である。段部５７と塞部５３の衝突を通じて、塞部５３の切り込み５５によって生じた誤差を吸収し、挿入孔５０をより確実に塞ぐことができる。
【００３１】
塞部５３に対応して、外部導体２３の一部側縁は、可動端子２５の挿入側において、塞部５３に沿って延伸されている。この延伸部７０は、塞部５３の一部上部に覆い被さるように挿入孔５０に向かって（下方に）折り曲げることができる。つまり、この延伸部７０は、塞部５３を位置決めし固定するための抑え部として利用できる。抑え部７０の形状は特に限定されるものではないが、例えば、図示のように幅狭の略直方形状としてもよい。図３に示すように、この抑え部７０の横若しくは幅方向（折り曲げ方向と水平な方向）における幅「エ」は、塞部５３の同方向における幅「ア」よりも小さく設定されている。このような寸法としても、外部導体２３は固い金属でできていることから、塞部５３の抑えとしては十分と考えられる。また、このような寸法とすることにより、グランドとしても機能し得る外部導体２３によって、可動端子２５に近づくことによる雑音信号を生じさせるおそれも少なくすることができる。
【００３２】
抑え部７０は、塞部５３と同様に、外部導体２３の一部として一体成形されていてもよい。抑え部７０を容易に折り曲げることができるように、折り曲げ側と同じ側の外部導体表面の所定位置に横方向にわたってＶ字の切り込み７１が設けてある。尚、折り曲げ側と反対側の表面に設けることとした絶縁ハウジング２２の切り込み５５と異なり、抑え部７０では、折り曲げ側と同じ側の表面に切り込み７１を設けることとしており、これによって、塞部５３に対して十分な力を発揮させることができるようになっている。
【００３３】
抑え部７０を形成する際、視認検査溝１１（図２１、図２２参照）を利用することができる。視認検査溝１１は、通常、基板上における電気の流れの方向性を確認するために利用されるものであるが、この視認検査溝を変形して、つまり、抑え部７０の切り込み７１付近に向かって両側外周部７２を斜め直線状に収束させてくびれ７３を形成し、所定位置における抑え部７０の折り曲げを容易にすることもできる。
【００３４】
この抑え部７０の折り曲げは、絶縁ハウジング２２の塞部５３と同時に行っても良いが、絶縁ハウジング２２の塞部５３を折り曲げた後に行っても良い。ただし、同時に折り曲げるとすることにより、作業をより簡易化することができる。
【００３５】
図６乃至図８によく示されているように、絶縁ハウジング２２は、固定端子２４の固定部３７が圧入される側において、固定部３７の圧入方向における断面に対応する形状を有した挿入孔８０を有する。この挿入孔８０は、挿入孔５０と同様に、２部分、つまり、挿入孔８０に挿入される固定端子２４の固定部３７に対応して幅広であるが高さを有しない第１挿入部８１と、固定端子２４の接触部４０に対応して二等辺三角形の形状を有する第２挿入部８２と、から構成されている。ここで、第１挿入部８１については、固定端子２４の固定部３７がそこに圧入されたときに略完全に塞がれることになるが、第２挿入部８２については、固定端子２４の一部である平板状の腕部４８によってある程度は塞がれるものの、その閉塞は完全とはいえない。閉塞を完全にするため、本発明では、挿入孔８０を設けた側の絶縁ハウジング壁面が利用される。即ち、絶縁ハウジングの壁面の、固定端子２４の腕部４８に沿った、該腕部４８を両側から挟み込む位置に、絶縁ハウジングの外面側に突出させた側面突起８３が設けてある。これらの側面突起８３は、異物侵入の効果をより発揮させるため、腕部４８にできるだけ近接させた位置、例えば、第２の挿入部８２の二等辺三角形状の底辺を形成する２つの頂点８４、８５付近を通過するようにして下方に延伸させるようにして設けられているのが好ましい。ただし、側面突起８３は、腕部４８の両側を塞ぐように設けられていれば十分であり、例えば図示のように、絶縁ハウジング２２の一部領域のみに設けられていてもよいし、絶縁ハウジング２２の腕部４８を除く全ての領域（つまり、側面突起８３の領域に加えて、更に、その外側の領域８６）に広がるように設けられていてもよい。また、側面突起８３は、絶縁ハウジング２２と一体成形されてもよいが、別体で設けられてもよい。尚、腕部４８を利用した閉塞がより完全なものとなるように、第２の挿入部８２の断面を形成する二等辺三角形の底辺を形成している２つの頂点８４、８５間の距離「カ」は、腕部４８の幅「キ」を略同じ大きさに設定するのが好ましい。
【産業上の利用可能性】
【００３６】
本発明は、異物の侵入防止を必要とする様々なコネクタ装置に応用することができる。したがって、同軸コネクタのみに適用されるものではない。
【図面の簡単な説明】
【００３７】
【図１】本発明による同軸コネクタの中心線断面図である。
【図２】図１の同軸コネクタの正面斜視図である。
【図３】図１の同軸コネクタの正面図である。
【図４】可動端子を絶縁ハウジングに組み込む前の状態を示す図である。
【図５】可動端子を絶縁ハウジングに組み込んだ直後の状態を示す図である。
【図６】図１の同軸コネクタの背面斜視図である。
【図７】図１の同軸コネクタの背面図である。
【図８】固定端子を絶縁ハウジングに組み込む前の状態を示す図である。
【図９】図１の同軸コネクタの上面図である。
【図１０】図１の同軸コネクタの側面図である。
【図１１】図１の同軸コネクタの裏面図である。
【図１２】図６のＢ−Ｂ線断面図である。
【図１３】絶縁ハウジングの正面図である。
【図１４】図１３の絶縁ハウジングの上面図である。
【図１５】図１３の絶縁ハウジングの背面図である。
【図１６】図１４のＣ−Ｃ線断面図である。
【図１７】図１５のＤ−Ｄ線断面図である。
【図１８】図１３のＥ−Ｅ線断面図である。
【図１９】図１３のＦ−Ｆ線断面図である。
【図２０】外部導体の個品図である。
【図２１】従来コネクタをスイッチ切り換えに使用できる同軸プラグとともに示した中心線縦断面図である。
【図２２】従来コネクタの正面斜視図である。
【図２３】従来コネクタの背面斜視図である。
【符号の説明】
【００３８】
１１  視認検査溝
２１  同軸コネクタ
２２  絶縁ハウジング
２３  外部導体
２４  固定端子
２５  可動端子
２６  同軸プラグ
２７  絶縁ハウジング
２８  外部導体
２９  中心導体
３０  段差部
３１  上部
３２  環状溝
３３  下端部
３４  凹部
３５  孔
３７  固定部
３８  基板接続部
４０  接触部
４２  固定部
４３  基板接続部
４４  弾性部
４６  両側外周部
４７  切欠部
４８  腕部
５０  挿入孔
５１  第１挿入部
５２  第２挿入部
５３  塞部
５４  切り溝
５５  切り込み
５７  段部
５８  最外壁
５９  最内壁
７０  抑え部
７１  切り込み
７２  両側外周部
７３  くびれ
８０  挿入孔
８１  第１挿入部
８２  第２挿入部
８３  側面突起
８４、８５  頂点
８６  領域
【図１】
0004417322.tif 000002
【図２】
0004417322.tif 000003
【図３】
0004417322.tif 000004
【図４】
0004417322.tif 000005
【図５】
0004417322.tif 000006
【図６】
0004417322.tif 000007
【図７】
0004417322.tif 000008
【図８】
0004417322.tif 000009
【図９】
0004417322.tif 000010
【図１０】
0004417322.tif 000011
【図１１】
0004417322.tif 000012
【図１２】
0004417322.tif 000013
【図１３】
0004417322.tif 000014
【図１４】
0004417322.tif 000015
【図１５】
0004417322.tif 000016
【図１６】
0004417322.tif 000017
【図１７】
0004417322.tif 000018
【図１８】
0004417322.tif 000019
【図１９】
0004417322.tif 000020
【図２０】
0004417322.tif 000021
【図２１】
0004417322.tif 000022
【図２２】
0004417322.tif 000023
【図２３】
0004417322.tif 000024